(57)【特許請求の範囲】
【請求項１】
オフセット印刷機の刷版面又は刷版に至るローラーの周面に、湿し水をノズルから噴霧して供給するスプレー式湿し水供給装置に係る噴霧装置において、
湿し水を噴霧するノズルと、
ノズルを接続可能な端面を有するとともに、外周部に少なくとも１つの溝を設けたノズルホルダーと、
ノズルホルダーに設けられノズルホルダーに対するノズルの取り付け関係を一定に規制してノズルの位相を決定する位置決め手段と、
少なくともノズルの噴霧口を露出可能な開口部を有するとともに、内周部に前記ノズルホルダーの溝に対向して噛み合い可能なノズル着脱移動部を有し、ノズルを挟んでノズルホルダーに締め付け可能なノズル固定部材と、
を有し、
さらに、ノズルは前記開口部に対して回り得るように移動を許容されつつ分離を妨げられてノズル固定部材に組み込まれ、
また、前記ノズル固定部材には、その外周部に当該ノズル固定部材を手回し可能にする手掛かり部を設け、
ノズル固定部材を、ノズルホルダーに対し一方向に手回しすることによって、決定した位相を変えることなくノズルをノズルホルダーに固定させることが可能であり、他方向に手回しすることによってノズルをノズル固定部材と分離しない状態でノズルホルダーから分離させることが可能であることを特徴とする湿し水の噴霧装置。
【請求項２】
ノズルにその位置決めの際に位置決め手段と干渉しない分離防止手段を設け、また、ノズル固定部材の内周部をノズル固定部材と一体に設けた円筒部材で形成し、ノズル固定部材の開口部の辺縁部分の下面と円筒部材の端面との間の隙間に前記分離防止手段を収めた、請求項１に記載の湿し水の噴霧装置。
【発明の詳細な説明】
【０００１】
【発明の属する技術分野】
【０００２】
この発明は、オフセット印刷機におけるスプレー式湿し水供給装置に関し、特に当該装置に備えられ、着脱可能なノズルを有する湿し水の噴霧装置に関する。
【従来の技術】
【０００３】
一般にオフセット印刷機には、種々の添加成分によって調製された湿し水を、刷版面又は刷版に至るローラーの周面に供給する湿し水装置が備えられており、特にオフセット新聞輪転機（以下、新聞輪転機という）の印刷装置においては、スプレー式湿し水供給装置が備えられることが多い。このスプレー式湿し水供給装置に用いられる湿し水の噴霧装置（以下、噴霧装置という）は、加圧された湿し水が押し出され噴霧されるいわゆる一流体式の噴霧装置が主流である。この噴霧装置は、加圧された湿し水が噴霧装置内に供給され、電磁開閉弁の作動によって止水・通水を交互に行い、電磁開閉弁の先端側に取り付けられたノズルから、湿し水を断続的に噴霧させるようになっている。
【０００４】
前記噴霧装置に用いられる湿し水を噴霧するノズルに係る従来技術としては、特許第３０３５３７１号公報に開示されたものがある。特許第３０３５３７１号公報に記載されている噴霧装置は、図７、図８に示すように、オリフィス２３ｆを有するノズル２０ｆ、ノズルを支持するノズルホルダー３０ｆ、ノズルをノズルホルダーに固定するナット状のノズル固定部材４０ｆ、止水・通水を交互に行う電磁開閉弁１３ｆを有し、電磁開閉弁１３ｆの作動によって湿し水が適宜噴霧されるようになっている。ノズル２０ｆは、ノズル固定部材４０ｆによってノズルホルダー３０ｆに固定されるようになっており、ノズルホルダー３０ｆに対するノズル２０ｆの着脱は、工具を用いて行われるようになっている。ノズル２０ｆの取付けに際しては、ノズル固定部材４０ｆにノズル２０ｆを挿入し、ノズルホルダー３０ｆの先端部に設けられているおねじ５２ｆに、ノズル固定部材４０ｆを工具を用いて締め込むものであり、また、湿し水の噴霧が不具合になったときなどノズル２０ｆの取外しに際しても、同様に工具を用いて緩めるようになっている。
【発明が解決しようとする課題】
【０００５】
前記特許第３０３５３７１号公報に開示された従来技術の噴霧装置には、次のような解決すべき課題があった。すなわち、上記従来技術の噴霧装置では、印刷品質を向上させるために、湿し水の供給圧力を調整してノズルのオリフィスから均一な粒子径に霧化した湿し水を噴霧しようとするものであった。しかしながら、ノズルのオリフィスから均一な粒子径の湿し水を長期間にわたり噴霧させることは極めて難しく、使用するに従ってオリフィスの周りに湿し水に含まれる添加成分が析出して堆積し、オリフィスが狭まってくる。また、長く使用する間には異物が突然オリフィスに詰まるということは必然であり、それによって噴霧状態が変化してくる。そのまま放置すれば、湿し水が適正に噴霧されなくなり、印刷品質が低下するばかりか、湿し水の不足により印刷紙面が汚れてしまうという重大な欠陥を発生させることになるので、このような状態になる前に、担当者はノズルの交換をしなければならず、そのノズル交換に際しては、ノズルの取付け取外しとも工具を用いて操作しなければならず、極めて作業効率が悪かった。
【０００６】
また、新聞輪転機においては、通常４ページ幅の用紙に印刷可能な１本の印刷胴に対し、８個のノズルを備えることが一般的であるが、近年、新聞の多ページ化、カラー化がめざましく進展しており、１セットの新聞輪転機で印刷する場合の１つの例として、４８ページ建て新聞の２４ページ分が４色刷される場合では、２４ページ分のモノクロ印刷に使用されるノズルの数は４８個、そして、２４ページ分のカラー印刷に使用されるノズルの数は１９２個となり、合計で２４０個のノズルが使用されることになる。新聞社では通常、複数セットの新聞輪転機を設備していることが多いので、前記２４０個を遥かに超える多数のノズルがメインテナンスの対象となり、ノズルのメインテナンスは、印刷品質を管理する立場にある担当者にとって極めて大きな負担となっていた。
【０００７】
この発明は、上記従来の技術が抱えていた課題を一挙に解決しようとするもので、ノズルのメインテナンスを容易とし作業効率を向上させるために、ノズル固定部材を、ノズルホルダーに対し一方向に手回しすることによってノズルをノズルホルダーに固定させ、他方向に手回しすることによってノズルをノズルホルダーから分離させることを可能とすることによって、迅速かつ容易にノズルを交換することが可能である湿し水の噴霧装置を提供することを目的とするものである。
【課題を解決するための手段】
【０００８】
上述の課題を解決するために、本発明にかかる湿し水の噴霧装置は、オフセット印刷機の刷版面又は刷版に至るローラーの周面に、湿し水をノズルから噴霧して供給するスプレー式湿し水供給装置に係る噴霧装置において、湿し水を噴霧するノズルと、ノズルを接続可能な端面を有するとともに、外周部に少なくとも１つの溝を設けたノズルホルダーと、ノズルホルダーに設けられノズルホルダーに対するノズルの取り付け関係を一定に規制してノズルの位相を決定する位置決め手段と、少なくともノズルの噴霧口を露出可能な開口部を有するとともに、内周部に前記ノズルホルダーの溝に対向して噛み合い可能なノズル着脱移動部を有し、ノズルを挟んでノズルホルダーに締め付け可能なノズル固定部材と、を有し、さらに、ノズルは前記開口部に対して回り得るよう移動を許容されつつ分離を妨げられてノズル固定部材に組み込まれて設けられ、また、前記ノズル固定部材には、その外周部に当該ノズル固定部材を手回し可能にする手掛かり部を設け、ノズル固定部材を、ノズルホルダーに対し一方向に手回しすることによって、決定した位相を変えることなくノズルをノズルホルダーに固定させることが可能であり、他方向に手回しすることによってノズルをノズル固定部材と分離しない状態でノズルホルダーから分離させることが可能であることを特徴としている。
【０００９】
請求項１に記載の湿し水の噴霧装置は、ノズル固定部材のノズル着脱移動部とノズルホルダーの溝とが相互に作用してノズルをノズルホルダーに固定する。
【００１０】
そして、請求項１に記載の湿し水の噴霧装置は、取付工具を用いずに素手によって簡単にノズルの着脱が可能となり、また、ノズル固定部材をノズルから外してもノズルがノズル固定部材から脱落することがなくなり、担当者の作業負担の軽減を図れる。
【００１１】
また、交換作業の負担の軽減によって、ノズルのメインテナンスが容易となるので、湿し水の噴霧状態を適正に管理することが容易となり、湿し水の噴霧状態の安定化が図れ、印刷品質の維持向上を可能とする。また、ノズルホルダーに対するノズルの取付け関係を規制することで、ノズルの最適な位置決めを実現できる。
【００１２】
また、本発明の請求項２に記載の湿し水の噴霧装置は、請求項１に記載の湿し水の噴霧装置において、ノズルにその位置決めの際に位置決め手段と干渉しない分離防止手段を設け、また、ノズル固定部材の内周部をノズル固定部材と一体に設けた円筒部材で形成し、ノズル固定部材の開口部の辺縁部分の下面と円筒部材の端面との間の隙間に前記分離防止手段を収めたことを特徴としている。
【００１３】
かかる構成を用いることで、ノズルの先端を摘んで軽く左右に回してノズルの位相決めが可能であり、また、ノズル固定部材をノズルとともにノズルが分離しない状態で取り外すことが可能となる。
【発明の実施の形態】
【００１４】
次に、この発明に係る実施の形態を、図面を参照して説明する。
【００１５】
この発明に係る噴霧装置は、オフセット印刷機、例えば新聞輪転機の印刷装置Ｐ（図５参照）に備えられるスプレー式湿し水供給装置のスプレーバー１０に複数組み込まれて用いられる。スプレーバー１０は、版胴Ｃに湿し水を供給するローラーＲに対向するように設けられ、図６に示すように、噴霧装置１１が支持部材１２に取り付けられるようになっており、一般的には版胴Ｃの軸方向に８個所並べて設けられている。
【００１６】
以下、この発明に係る噴霧装置１１（１１ｂ）の実施の形態について説明する。
【００１７】
噴霧装置１１ｂは、湿し水を噴霧するノズル２０と、電磁開閉弁１３の一端側に一体に取り付けられ、ノズル２０の位置決め手段３１ｂ、３１ｂを有するとともに、外周部におねじ５２ｂを有するノズルホルダー３０ｂと、内周部にめねじ４４ｂを有するとともに、ノズル２０をノズルホルダー３０ｂに固定させるノズル固定部材４０ｂと、円筒部材５１ｂの内周部に設けられノズルホルダー３０ｂのおねじ５２ｂに噛み合うめねじを形成したノズル着脱移動部５０ｂと、を有し構成される。各部の構成について説明する。
【００１８】
ノズル２０は、図１（ｂ）、図１（ｃ）に示すように、小径部２１と大径部２２を有し、小径部２１の先端側には湿し水を噴霧するオリフィス２３が設けられている。大径部２２には、小径部２１の直径より大きい幅になるように一部分を削除された切欠き面２４、２４が設けられ、大径部２２の下面２８には、Ｏリング２５が設けられる。ノズル２０がノズルホルダー３０ｂ（図２）に取り付けられたとき、Ｏリング２５の弾性変形によって大径部２２の下面２８とノズルホルダー３０ｂの端面３２ｂとの接続部が密着するようになっている。また、ノズル２０には、ノズル２０がノズル固定部材４０ｂに組み込まれたとき、移動を許容されつつ分離を妨げられるように分離防止部材２６が設けられる。分離防止部材２６は、図１（ｃ）に示すように、ノズル２０の大径部２２の切欠き面２４、２４に対応するように分離防止部材２６の切欠き部２７、２７を合わせ、大径部２２の外周部に取り付けられる。図４に示すように、前記端面３２ｂに設けられた位置決め手段３１ｂ、３１ｂ間にノズル２０の切欠き面２４、２４が挿入されてノズル２０の接続位相が決まるとき、分離防止部材２６が位置決め手段３１ｂ、３１ｂに干渉しないように、分離防止部材２６には前記切欠き部２７、２７（図１（ｃ））が設けられる。そして、図２に示すように、後述するノズル固定部材４０ｂの開口部４１ｂにノズル２０が取り付けられた状態では、ノズル固定部材４０ｂがノズル２０とともにノズルホルダー３０ｂから外されても、ノズル２０が、ノズル固定部材４０ｂから分離しないようになっている。
【００１９】
ノズルホルダー３０ｂは、図２に示すように、ネック３３ｂが電磁開閉弁１３に一体となるように設けられるとともに、おねじ５２ｂと、端面３２ｂにノズル２０の接続位相を定める位置決め手段３１ｂ、３１ｂを有する。位置決め手段３１ｂ、３１ｂは、前記端面３２ｂにノズル２０（図１（ａ）参照）の大径部２２に設けられた切欠き面２４、２４間の幅寸法より僅かに大きな間隔で対向し、かつ大径部２２に厚みを超えない高さに突起して設けられており、位置決め手段３１ｂ、３１ｂ間に前記ノズル２０の切欠き面２４、２４を合わせて組み付けることによりノズル２０の位相決めを可能としている。ノズルホルダー３０ｂの外周部には、後述するノズル着脱移動部５０ｂと噛み合うおねじ５２ｂが設けられ、ノズル固定部材４０ｂに一体となった円筒部材５１ｂの内周部に形成されためねじのノズル着脱移動部５０ｂと噛み合って相互に作用し合い、ノズルホルダー３０ｂに対するノズル２０の着脱を行えるようになっている。
【００２０】
ノズル固定部材４０ｂは、その外周部に当該ノズル固定部材４０ｂを手回し可能にする手掛かり部が設けられており、図２、図３に示すように、ノズル固定部材４０ｂをノズルホルダー３０ｂに取り付けたときにノズルホルダー３０ｂの端面３２ｂと相対する部位の中央部にノズル２０を挿入可能な円形状の開口部４１ｂを有し、内周部に設けられためねじ４４ｂに円筒部材５１ｂのおねじ４６ｂをねじ込んで、円筒部材５１ｂを一体となるように固定する。ノズル２０の大径部２２の上面が接する開口部４１ｂの縁辺部分の下面４５ｂとねじ込まれた円筒部材５１ｂの端面４７ｂとの間には、ノズル２０の分離防止部材２６を納め得る適宜な隙間が設けられる。ノズル固定部材４０ｂと一体となっている円筒部材５１ｂの内周部には、ノズル２０を固定するに必要な所望の移動距離が得られるめねじを形成したノズル着脱移動部５０ｂが設けられる。ノズル固定部材４０ｂの開口部４１ｂに挿入されノズルホルダー３０ｂに対して位相を決められたノズル２０は、ノズル固定部材４０ｂを時計方向に手回しすることによって、開口部４１ｂの縁辺部分の下面４５ｂがノズル２０の大径部２２の上面を押さえ、ノズルホルダー３０ｂに固定されるようになっている。
【００２１】
次に、この発明に係る湿し水の噴霧装置の作用について図面を参照して説明する。図２乃至図４に示すように、分離防止部材２６を設けたノズル２０が、円筒部材５１ｂによって移動を許容されつつ分離を妨げられるようにノズル固定部材４０ｂに組み込まれており、ノズル２０は、開口部４１ｂに対して回り得る。ノズルホルダー３０ｂにノズル２０を取り付けるときは、ノズル固定部材４０ｂと一体となっている円筒部材５１ｂの内周部をノズルホルダー３０ｂに挿入し、ノズル２０の先端を摘んで軽く左右に回し、位置決め手段３１ｂ、３１ｂ間にノズル２０の切欠き面２４、２４を合わせて組み付けると、分離防止部材２６の切欠き部２７に位置決め手段３１ｂ、３１ｂが挿入され、ノズル２０は位相決めされる。次に、ノズル固定部材４０ｂを時計方向に手回しして止まるまで回す。すると、ノズルホルダー３０ｂのおねじ５２ｂと噛み合うノズル着脱移動部５０ｂによってノズル固定部材４０ｂが軸方向に移動し、ノズル２０の大径部２２の上面側がノズル固定部材４０ｂの開口部４１ｂの縁辺部分の下面４５ｂによって押し付けられ始め、例えば略１．５回転回すと所望の移動距離が得られ、ノズル２０を固定することができる。ノズル２０を外すときは、反対方向に回せば、ノズルホルダー３０ｂのおねじ５２ｂからノズル着脱移動部５０ｂの噛み合いが外れ、ノズル２０とともにノズル固定部材４０ｂを取り外すことができる。
【００２２】
ノズル２０を交換するときは、ノズル固定部材４０ｂから円筒部材５１ｂを外し、古いノズルを外し、分離防止部材２６が取り付けられている新しいノズルを開口部４１ｂに挿入し、再度円筒部材５１ｂをノズル固定部材４０ｂにねじ込めばよい。
【発明の効果】
【００２３】
以上記載のとおり、この発明によれば、取付工具を用いずに、最適な位置に位置決めした状態で、素手によって簡単にノズルの着脱が可能となり、また、ノズル固定部材をノズルホルダーから外す際にノズルが分離して落下するおそれがなくなったので、担当者の作業負担の軽減を図ることができた。
【００２４】
また、交換作業の負担の軽減によって、ノズルのメインテナンスが容易となったことから、湿し水の噴霧状態を適正に管理することが容易となり、湿し水の噴霧状態の安定化が図れ、印刷品質の維持向上を図ることが可能となった。
【図面の簡単な説明】
【００２５】
【図１】  ノズルのオリフィス側から見た斜視図（図１（ａ））、ノズルの大径部の底面側から見た斜視図（図１（ｂ））、及び図１（ａ）におけるノズルの大径部に分離防止部材を備えたノズルの斜視図（図１（ｃ））。
【図２】  この発明に係る湿し水の噴霧装置の実施形態における部分断面図。
【図３】  図２における部分平面図。
【図４】  図２における分離防止部材を備えたノズルと位置決め手段との関係を示す部分平面図。
【図５】  印刷装置の正面図を示し、この発明に係る湿し水の噴霧装置を備えたスプレーバーの配置図。
【図６】  図５におけるスプレーバーの斜視図。
【図７】  従来技術の噴霧装置の部分斜視図。
【図８】  図７における噴霧装置の部分断面図。
【符号の説明】
【００２６】
１０    スプレーバー
１１、１１ｂ    噴霧装置
１２    支持部材
１３    電磁開閉弁
２０    ノズル
２１    小径部
２２    大径部
２３    オリフィス
２４    大径部の切欠き面
２５    Ｏリング
２６    分離防止部材
２７    分離防止部材の切欠き部
２８    大径部の下面
３０ｂ    ノズルホルダー
３１ｂ    位置決め手段
３２ｂ    ノズルホルダーの端面
３３ｂ    ノズルホルダーのネック
４０ｂ    ノズル固定部材
４１ｂ    開口部
４４ｂ    めねじ
４５ｂ    縁辺部分の下面
４６ｂ    おねじ
４７ｂ    円筒部材の端面
５０ｂ    ノズル着脱移動部
５１ｂ    円筒部材
５２ｂ    おねじ
Ｐ    印刷装置
Ｃ    版胴
Ｒ    ローラー
【図１】
0003664439.tif 000002
【図２】
0003664439.tif 000003
【図３】
0003664439.tif 000004
【図４】
0003664439.tif 000005
【図５】
0003664439.tif 000006
【図６】
0003664439.tif 000007
【図７】
0003664439.tif 000008
【図８】
0003664439.tif 000009